(57)【要約】【課題】  車いす利用者及び荷物運搬者が乗り降りする時に、各種の情報が十分とは云えず周囲の情報確認を十分に行えなかった。【解決手段】  エレベーターホール側の映像を映し出すモニターを、かご室内に設置したエレベーター装置において、エレベーターホール及びかご室内にエレベーターホールを撮影するカメラを取り付け、これらのカメラの画像を表示するモニターをモニター表示板に設け、さらにこのモニター表示板には、エレベーターの運行状況を表示する表示部、運行状況・後方状況を音で流すスピーカー、行先階登録ボタン及び扉開閉ボタンなどを設け、このモニター表示板を、かご室奥の後方側壁、かご室左右側面の右方側壁、左方側壁にそれぞれ設置したものである。【選択図】図１
2005178935.tif 000002
【特許請求の範囲】
【請求項１】
車いす利用者や荷物運搬者が乗り降りする時に、エレベーターホール側の映像を映し出すモニターを、かご室内に設置したエレベーター装置において、かご室の出入り口左右付近のエレベーターホール及びかご室内奥部にそれぞれ取り付けたカメラ、これらのカメラの画像を表示するモニター、これらモニターとエレベーターの運行状況を表示する表示部とこの運行状況や後方状況を音で流すスピーカーと行先階登録ボタン及び扉開閉ボタンで構成されたモニター表示板を備え、上記モニター表示板を、かご室奥の後方側壁、かご室左右側面の右方側壁、左方側壁にそれぞれ設置したことを特徴とするエレベーター装置。
【請求項２】
エレベーターホール正面の後方映像を映すかご室内奥部のモニターと、エレベーターホール右側の映像を映す右方側壁のモニターと、エレベーターホール左側の映像を映す左方側壁のモニターとで構成された請求項１記載のエレベーター装置。
【発明の詳細な説明】
【技術分野】
【０００１】
この発明は、エレベーターから後ろ向きで降りる際に、エレベーターホール側の確認を安全且つ容易に行うことの出来るエレベーター装置に関するものである。
【背景技術】
【０００２】
車椅子利用者が、かごから降りる際に後方の確認を行う確認手段を備えた身障者用エレベーターにおいて、乗り場側を撮影するテレビカメラと乗りかごの出入口と反対側のかご内側板にテレビモニターとを設けることにより、車椅子の利用者がエレベーターから降りる際に乗り場側の情報を確認することができものとして例えば次の各種のものが提案されている。
（１）かご天井板に出入口に向けてテレビカメラを取付け、この出入口と反対側のかご側板にテレビモニター備えつけ画像を映し出す構造。（特許文献１参照）
（２）かご天井板に出入口に向けてテレビカメラを取付け、乗りかごの側面側の側板に備えられる身障者用操作盤にテレビモニターを内蔵する構造。（特許文献２参照）
（３）乗りかごの出入口と反対側のかご側板に備えられるテレビモニターと、各階乗り場に取付けられるテレビカメラから構成され、利用階到着前に乗り場側床の障害物や他の利用者を確認することも出来る構造。（特許文献３参照）
【０００３】
【特許文献１】特開平８−１５７１５５号公報
【特許文献２】特開平１１−４９４５８号公報
【特許文献３】特開２００３−１４６５６３号公報
【発明の開示】
【発明が解決しようとする課題】
【０００４】
従来の、かご内にモニターを備えたエレベーター装置では、車いす利用者及び荷物運搬者が乗り降りする時に、各種の情報が十分とは言えず周囲の情報確認を十分に行えなかった。
【課題を解決するための手段】
【０００５】
この発明に係わるエレベーター装置は、車いす利用者や荷物運搬者が乗り降りする時に、エレベーターホール側の映像を映し出すモニターを、かご室内に設置したエレベーター装置において、かご室の出入り口左右付近のエレベーターホール及びかご室内奥部にそれぞれ取付けたカメラ、これらのカメラの画像を表示するモニター、これらモニターとエレベーターの運行状況を表示する表示部とこの運行状況や後方状況を音で流すスピーカーと行先階登録ボタン及び扉開閉ボタンなどで構成されたモニター表示板を備え、上記モニター表示板を、かご室奥の後方側壁、かご室左右側面の右方側壁、左方側壁にそれぞれ設置したものである。
【発明の効果】
【０００６】
この発明は、複数のカメラ、モニターなどで構成されているので、従来装置に比べ車椅子の利用者や荷物運搬者などがエレベーターから降りる際、周囲の状況を十分に確認でき、又状況判断も十分でき、運転操作の容易性、安全性、利便性の向上を図ることができる。
【発明を実施するための最良の形態】
【０００７】
以下、図面に基づいて、この発明の各実施の形態を説明する。
なお、各図間において、同一符号は同一あるいは相当部分を示す。
【０００８】
実施の形態１．
図１は、エレベーターホールを撮影するカメラと、その映像を映し出すモニターの取付け状況を示すかご室の側面図、図２はその正面図である。図３は、運行状況、後方状況についての表示部、スピーカーなどを備えたモニター表示板を示す説明図である。
【０００９】
実施の形態１におけるエレベーター装置では、かご室１内からエレベーターホール２側を撮影する３台のカメラ３ａ、３ｂ、３ｃを、かご室１の出入り口左右付近のエレベーターホール２及びかご室１の奥部４にそれぞれ取付け、３箇所のカメラ３ａ，３ｂ、３ｃの各画像は、1画面中で表示するモニター５ａに映し出される。このモニター５ａを備えたモニター表示板６ａは、通常、かご室内奥部４の後方側壁１ａに設置されるが、モニター表示板６ｂ、６ｃは後述するようにかご室１左右両側の左方側壁１ｂ、右方側壁１ｃにそれぞれ適宜設置される。
又、上記左方側壁１ｂ又は／及び右方側壁１ｃに設けたモニター表示板６ｂ、６ｃには、モニター５ｂ、５ｃの他にエレベーターの運行状況（現在階、運行方向、非常時などの管制時表示）を表示する表示部７を設ける共にこの運行状況と後方状況を音で流すスピーカー８、行先階登録ボタン９、扉開閉ボタン１０、現在階表示部１１などが設けられている。なお、１２はホールボタンである。
【００１０】
このように構成されているので、エレべ−ターの車いす利用者Ａ或いは荷物運搬者が降りる時、かご室１内から後ろ向きに出ようとする場合には、いずれかのモニター５ａ、５ｂ、５ｃを見ながら行動できるので、方向感覚が向上し、後ろ向きに移動する際の操作性、安全性が向上する。又、かご室に乗り込んだ状態で、行きたい階の登録、扉の開閉操作が可能になる。特に、車いす利用者、荷物運搬時など使用状態に制限がある人に有効である。
【００１１】
なお、モニター表示板６ａ、６ｂ、６ｃに設けたエレベーターの運行状況の表示部７、スピーカー８、行先階登録ボタン９、扉開閉ボタン１０、現在階表示部１１などは、不必要な場合は設置しない構造にもでき、又、必要なものだけを選択的に備えることもできる。
【００１２】
実施の形態２．
図４は、モニター表示板をかご室の三方側壁すなわちモニター表示板６ａ、６ｂ、６ｃを、かご室内奥部４の後方側壁１ａ、かご室１の左方側壁１ｂと右方側壁１ｃに取付けた状況を示す平面図である。
なお、実施の形態１と同一の部分については、説明を省略する。
【００１３】
次に実施の形態２におけるエレベーター装置では、３個のこのモニター５ａ、５ｂ、５ｃに同じ映像を映すのではなく、かご室奥部４のモニター５ａにはエレベーターホール正面の映像すなわち後方映像が映し出され、右方側壁のモニター５ｃには、エレベーターホール右側の映像が映し出され、左方側壁のモニター５ｂには、エレベーターホール左側の映像が映し出される。
この結果、実施の形態１と同様に上半身が不自由な人など、視線の方向に制限がある人でも状況確認を行い易くし、又方向感覚が向上し、後ろ向きに移動する際の操作性、安全性が向上する。
【図面の簡単な説明】
【００１４】
【図１】この発明の実施の形態１におけるかご室の側面図である。
【図２】同じく、かご室の正面図である。
【図３】モニター表示板を示す説明図である。
【図４】この発明の実施の形態２におけるモニター表示板をかご室の三方側壁に取付けた状況を示す平面図である。
【符号の説明】
【００１５】
１  エレベーターかご室                １ａ  後方側壁
１ｂ  左方側壁                        １ｃ  右方側壁
２  エレベーターホール
３ａ、３ｂ、３ｃ  カメラ                ４  かご室１の奥部
５ａ、５ｂ、５ｃ  モニター        
６ａ、６ｂ、６ｃ  モニター表示板
７  運行状況などの表示部                ８  スピーカー
９  行先階登録ボタン                    １０  扉開閉ボタン
１１  現在階表示部                      １２  ホールボタン
Ａ  車いす利用者
【図１】
2005178935.tif 000003
【図２】
2005178935.tif 000004
【図３】
2005178935.tif 000005
【図４】
2005178935.tif 000006